(57)【要約】      （修正有）【課題】配達物に貼付する配達伝票に送り先の氏名や住所としてバーチャルで特徴的な潤いのある名前のみを記載することにより、バーチャルな氏名や住所による配達物の交換を可能とする配達システムを提供する。【解決手段】配達業者もしくは外部にバーチャルな情報による配達システムを稼働させるためにシステムを備えた個人情報登録センターを設立し、配達に必要な情報を当該配達業者はもとより、外部個人情報登録センターおよび登録システムの端末を備えたコンビニエンスストアやあるいはインターネットのホームページ上のサイトから、あらかじめ実際の住所氏名およびバーチャルな住所氏名ほかを届けておき、この情報に基づいてバーチャルな住所や氏名宛に配達物を届けることを可能にする配達伝票を作成し、配達物の送り主や受け手に実際の住所あるいは氏名を公開することなく受取り主に配達する。【選択図】図２
2010215407.tif 000002
【特許請求の範囲】
【請求項１】
特定の配達先へ荷物あるいは封書などの配達物（Ｗ）を配達するに際して、
バーチャルな住所氏名等で配達物を発送もしくは受取りを希望する特定の個人あるいは団体もしくはイメージキャラクター、ペットなどについて、配達物受取り主があらかじめ自分自身の住所氏名そのほか個人情報（Ｐｉ）と、これに対してこの個人情報をバーチャルな名前に変えたバーチャル情報（Ｖｉ）とを登録したところの、設置場所として配達業者の内部であるかもしくは業者外かを問わない個人情報登録センターで、配達先を特定する情報を含めた外部流出から保護されるべき個人情報とこれらの住所氏名等をバーチャルな名称で登録した個人情報と、あるいは場合によってはこれらの情報をコード情報に転換した情報とを登録し、必要に応じて発信できるシステムを備えた、情報登録センターの設置。
【請求項２】
特定の配達先へ荷物あるいは封書などの配達物（Ｗ）を配達するに際して、
配達物受取り主があらかじめ自分自身の住所氏名ほか個人情報（Ｐｉ）と、これに対してこの個人情報をバーチャルな名前に変えたバーチャル情報（Ｖｉ）との両方を、配達業者もしくは外部個人情報登録センターに登録し、配達の依頼があったときに、情報を読み出して配達伝票（Ｄｓ）を作成し、この配達伝票（Ｄｓ）に基づいてバーチャルな住所氏名宛に配達物（Ｗ）を配達することを特徴とする、荷物配達システム一式。
【請求項３】
特定の配達先へ荷物あるいは封書などの配達物（Ｗ）を配達するに際して、
配達物受取り主があらかじめ自分自身の住所氏名ほか実際の住所氏名などの個人情報（Ｐｉ）と、これに対してこの個人情報をバーチャルな名前に変えたバーチャル情報（Ｖｉ）との両方を配達業者に届けるが、
この配達に必要な情報の登録には当該配達業者はもとより、上記外部個人情報登録センターおよび登録システムの端末を備えたコンビニエンスストアやあるいはインターネットのホームページ上のサイトから行っても良いとする、個人情報登録システム。
【請求項４】
特定の配達先へ配達される配達物（Ｗ）に貼付する配達伝票について、
あらかじめ配達業者もしくは外部個人情報登録センター内の記憶装置（Ｂ）に登録された情報に基づいて配達伝票（Ｄｓ）を作成する際に、
配達先を特定する情報を含めた外部流出から保護されるべき個人情報（Ｐｉ）とバーチャル個人情報（Ｖｉ）とが視認可能に記載されている配達伝票（Ｄｓ）から、配達時に実際の配達先の個人情報（Ｐｉ）を記載した部分のみを秘匿することを可能にした、配達伝票一式。
【請求項５】
配達業者（ＴＰ）もしくは個人情報登録センター内の記憶装置（Ｂ）に登録された情報に基づいて配達伝票（Ｄｓ）を作成し、この伝票に基づいて配達をする際に、
配達先を特定する情報を含めた外部流出から保護されるべき個人情報（Ｐｉ）とバーチャル個人情報（Ｖｉ）とが記載され、当該配達物（Ｗ）に貼付されている配達伝票（Ｄｓ）から、実際の配達先の個人情報（Ｐｉ）を記載した部分のみを切り取って配達することを可能にした配達伝票を用いて行う、配達方法。
【請求項６】
配達先を特定する情報を含めた外部流出から保護されるべき個人情報（Ｐｉ）およびバーチャル化した情報（Ｖｉ）がコード情報（ＣＮ）に変換されて、配達業者（ＴＰ）もしくは外部個人情報登録センターの記録装置（Ｂ）に記録されており、
必要に応じて外部読取装置（Ｅ）から配達に必要な情報を読取ることを可能にすることを特徴とする、配達情報登録および読取りのためのコンピュータシステム一式。
【請求項７】
特定の配達先へ配達される配達物（Ｗ）に貼付する配達伝票について、
当該配達伝票（Ｄｓ）は配達物（Ｗ）を特定するバーチャル個人情報（Ｖｉ）および請求項４に記載した方法で作成したコード情報（ＣＮ）が視認可能に表示された配達伝票であり、
実際の配達先情報を含めた個人情報（Ｐｉ）は記載されていない配達伝票であって、
配達時に実際の配達先情報を含めた個人情報（Ｐｉ）を外部読取装置（Ｅ）によってコード情報から読みとることを可能にした、配達伝票一式。
【請求項８】
配達業者もしくは外部個人情報登録センター）内の記憶装置（Ｂ）に登録された情報に基づいて配達伝票を作成し、この伝票に基づいて配達をする際に、
バーチャル個人情報（Ｖｉ）と外部読取装置（Ｅ）で読み取れるようにコード化したコード情報（ＣＮ）とを、配達伝票に視認可能な状態で記載し、当該配達物（Ｗ）に貼付け、配達の際には外部読取装置（Ｅ）上で、当該配達物（Ｗ）とその配達先を照合して、配達物（Ｗ）を配達することを特徴とする、配達方法。
［符号の説明］
（Ｗ）    特定の配達先へ配達される配達物
（Ｖｉ）  配達物の配達があらかじめ登録したバーチャルな住所氏名等で配達されることを希望する荷受け人について、住所氏名等をバーチャルな名称で登録した個人情報
（Ｐｉ）  配達先を特定する情報を含めた外部流出から保護されるべき個人情報
（Ｂ）    個人情報登録センターもしくは配達業者内のコンピュータ記憶装置
（Ｅ）    配達時に外部から配達に必要な各種情報を読取るための装置
（ＣＮ）  配達先を特定する情報を含めた外部流出から保護されるべき個人情報および住所氏名等をバーチャルな名称で登録した個人情報をコード情報に転換した情報であり、配達物を特定することを可能にした情報
【発明の詳細な説明】
【技術分野】
【０００１】  この発明は、荷物あるいは封書（以下、配達物と称する）の配達のため、あらかじめ住所氏名とバーチャルな住所氏名を登録し、この情報を用いて、実際の住所氏名の方は相手に知らせることなくバーチャルな住所先から読みとった配達先に配達をするためのシステムに関するものである。
【背景技術】
【０００２】  近年コンピュータシステムの発達により、バーチャル市場が設定されて、多くの商品がこのバーチャル市場で売買されるようになった。
一方、商品や特産地をイメージさせるイメージキャラクターが多数生み出され、商品販売やその土地のイメージアップに大いに資しているが、これらのキャラクターの所在地を示すバーチャルな住所氏名を設定しこのバーチャル情報を、配達物の配達の際に情報の主体として利用することは、実態としてはまだ無い。
また、ペットに対しても愛称として名前は付けるとしても、この名前を配達物の配達の際に情報の主体として利用することは、同様に実態としてはまだ無い。
また、従来、郵便局をはじめとする配達業者を介して配達される配達物等は、実在する所番地にのみ配達することができたが、最近は場合によっては実名や実住所で配達物が配達されることを是としない人も現れている。従来はこのような場合には配達相手方の住所氏名等をコード化することで解決していた。
たとえば、バーチャル市場において売り手および買い手は端末からネットワークを介して、仲介業者の有する個人情報記録装置に、取引に必要な個人情報の登録を依頼し、前記仲介業者は、登録依頼内容の信頼性を確認した上で登録し、個人を識別する個人ＩＤおよびパスワードを発行することにより個人の住所氏名を特定し配達が可能とすることで解決している。（たとえば、特許文献１）
あるいはまた、配達物を配達するに際して配達物に貼り付けられる配達伝票には、当該伝票を識別する伝票コードのみを表示し、受取主の住所、氏名、電話番号、商品の種類等の個人情報についてはＩＣタグ内に記録して、当該配達伝票上にあるいは配達伝票と並べて、配達物上に貼り付ける。配達員は、携帯端末でＩＣタグ内の情報を読み取って配達を行うなどの方法がとられる。（たとえば、特許文献２）
ただし、これらの方法では実際の住所氏名に置き換えられたＩＤパスワードやＩＣタグには識別記号として以上の意味は持ってない。
さらには、配達物を配達することは想定していないところで、金融機関のデータベース上にバーチャルな人物を想定し住所その他の必要事項を設定して実在の人物と同じように商取引をさせようとする考え方もある。（特許文献３）
【先行技術文献】
【０００３】
【特許文献】
【特許文献１】特許公開２００２−６３４４４
【特許文献２】特許公開２００７−８１２９
【特許文献３】特許公開２００２−１２３６３３
【発明の概要】
【発明が解決しようとする課題】
【０００４】  配達物の配達を簡便に行うために、配達物の配達先の住所氏名などを数字などに変換しコード化する方法がとられているが、この方法によって設定されたコード番号には意味を持たせることはなく、あるいは持たせることはできず、単なる番号としての識別に留まらざるを得ない。
本発明では、配達物に貼付する配達伝票に送り先の氏名や住所としてバーチャルで特徴的な潤いのある名前のみを記載することにより、バーチャルな氏名や住所による配達物の交換が可能となり、たとえば「夢届け便」と命名して配達物をとどければ夢をもった交流ができることとなることを課題とする。【０００５】  また、配達先が人や団体以外でもイメージキャラクターやあるいはペット等にもその配達先としてのバーチャルな住所を与えることができ、企業や特産品あるいは地域や産地のイメージの強化に資することができ、さらにはペット等の場合はより親愛なる人生の相手として認知することを可能とすることを課題とする。【０００６】  また同時に、この発明においては、配達物において匿名性を確保することが可能となり、配達を希望する人および受取り主の実際の個人情報を明らかにしなくても配達が可能となるシステムを提供することを課題とする。
【課題を解決するための手段】
【０００７】  以上の課題を解決するために、バーチャルな住所もしくは氏名をもって配達を受けようとする人は、あらかじめ自分自身の住所氏名その他個人情報（Ｐｉ）と、これに対してこの個人情報をバーチャルな名前に変えたバーチャル情報（Ｖｉ）とを登録したところの、設置場所として配達業者の内部であるかもしくは業者外かを問わない個人情報登録センターで、配達先を特定する情報を含めた外部流出から保護されるべき個人情報とこれらの住所氏名等をバーチャルな名称で登録した個人情報と、あるいは場合によってはこれらの情報をコード情報に転換した情報とを登録し、必要に応じて発信できるシステムを備えた情報登録センターに、実際の住所氏名とともに特徴あるバーチャルな住所、あるいは場合によってはバーチャルな氏名を届けておくことを特徴とする。【０００８】  この配達に必要な実際の住所氏名とともに特徴あるバーチャルな住所氏名を届ける登録には当該配達業者はもとより、登録システムの端末を備えたコンビニエンスストアやあるいはインターネットのホームページ上のサイトから行っても良い。【０００９】  ここに設定された特徴あるバーチャルな住所、および氏名に配達物を届けるために、配達業者は配達伝票たとえば図１の形式のものを作成し、配達物の送り主より配達の依頼があった段階で配達伝票には受取り主のバーチャルな住所氏名のみを記載してもらい、受取り主の実住所氏名等の必要事項は届けられている情報から配達業者側で転記し、配達時に配達人が実住所氏名の部分を切り取り持ち帰ることにより受取り主にはバーチャル情報のみが渡されるようにする。
あるいは、バーチャルな情報と、実際の住所氏名はコード化した数字などの情報に変換されていて外部からは読み取ることができない情報とが記載されている配達伝票から、読取装置によりコードを読みとることにより実住所を確認して実際の住所に配達することを可能とするところの配達伝票を作成し、配達時にこれを使用する。
【発明を実施するための形態】
【００１０】  バーチャルな住所氏名宛で配達を希望する人がバーチャルな情報による配達システムを稼働させるために配達業者内もしくは外部に設立した個人情報登録センターに、あらかじめ実際の住所氏名およびバーチャルな住所氏名を届けておく。
【００１１】  配達物の配達の際に送り主にはこのバーチャル情報のみが知らされており、配達伝票には配達先としてバーチャルな住所もしくは氏名のみが記載されているが、配達人は配達物を届ける際にこのバーチャル情報から実際の配達先が読みとることができるような配達伝票を使用する。
この配達伝票を用いて、配達物の受取り主の手元にはバーチャル情報のみが残る方法、たとえば配達人が荷物を受取り主に手渡すときに実際の住所が記載されている部分を貼付伝票より切り取って、バーチャル情報のみが届くようにして配達物を届けるようにする。
【００１２】  また、送り主の方もこのシステムを利用してバーチャルな住所氏名を届けておき、配達物を送る場合にこのバーチャルな住所氏名で配達物を発送することにより、相互にこれまでにない配達物の交換による新たな夢をもった交流が可能となる。
【実施例１】
【００１３】  バーチャル住所の使用実例として、国民的アイドルである「さざえさん」の住所として「東京都世田谷区桜新町２丁目２５番地」がある。しかしながらこれはバーチャルな住所であり、現段階では郵便物を出しても届かない。これに対して本特許を利用して配達業者もしくは個人情報登録センターに「磯野家」のこの住所とあわせて配達物受取り主の実住所を登録し配達伝票の配達先に転記できるシステムをとれば、「磯野さざえさん」宛ての配達物はバーチャル住所から変換し読みとられた実住所宛てに配達される。また逆に登録したバーチャルな住所から配達物を出荷することも可能となる。
【実施例２】
【００１４】  ビール会社は「び−る県旨み峠登る１丁目」など、化粧品会社は「美人郡美肌町素肌１−１」などの特徴あるバーチャル住所を設定しこのバーチャル情報とあわせて実際の住所を配達業者に登録し、配達物を配達する際にはバーチャルな住所のみが記載された配達伝票を用いて配達物の配達に供する。
【発明の効果】
【００１５】  １．夢がもてる
配達先のバーチャルな住所に夢のある名前を命名する、もしくは送り主に夢のあるバーチャルな名前を付すことにより、配達物の送り主や受取り主を楽しくする効果が期待できる。
荷物の送り主と受け手の両方がこのシステムを利用すれば、双方に夢のやり取りが可能となり、交流がより一層深まる可能性を期待できる。
【００１６】２．失われた旧地名の回復が可能になる。
近年各地で行われている市町村合併により、慣れ親しんだ地名などが失われつつあるが、本システムを活用することにより、旧地名にての配達が可能となり、これまで親しんできた旧地名を復活させることが可能となる。このことにより、地域の歴史に想いを寄せ、地域により親しみを感じることができるようになる。
【００１７】  ３．企業イメージ、特産品のイメージの強化が図れる。
企業が自分の住所を夢のあるものに命名することにより、より一層の企業イメージの強化につながる可能性が期待できる。
また、商品や特産地をイメージさせるイメージキャラクターが多数生み出され商品販売やその土地のイメージアップに大いに資しているが、これらのキャラクターの所在地を示すバーチャルな住所を設定することにより、特産品や産地のイメージあるいは地域の特徴付けの強化に資するところ大となる。
【００１８】  ４．配達物の受取り主の個人情報が保護される。
配達物の送り主に正規の配達先を明らかにする必要がないため、実際の住所を知られることがなく配達物の受取り主の個人情報が保護される。
【図面の簡単な説明】
【００１９】
【図１】配達伝票の例  この発明に使用する配達伝票の一事例を示した図である。
【図２】バーチャル登録配達システム（１）  配達業者が単数の場合の、この発明を実施するに際し使用する配達伝票に記載された情報の移動形態を示した図である。
【図３】バーチャル登録配達システム（２）  配達業者が複数の場合の、この発明を実施するに際し使用する配達伝票に記載された情報の移動形態を示した図である。
【図４】バーチャル登録配達システム（３）  配達先をコード情報から読みとる場合の情報の移動形態を示した図である。
【図１】
2010215407.tif 000003
【図２】
2010215407.tif 000004
【図３】
2010215407.tif 000005
【図４】
2010215407.tif 000006